(57)【特許請求の範囲】
【請求項１】
幅方向に略平行な多数の線状溝かもしくは微細窪を型付け加工で少なくとも一方の面の全幅にわたって長手方向に間欠的に設けた未延伸のポリエステルフィルムを基材とし、この基材の一方の面に脱毛用の粘着剤を積層し、他方の面に離型剤を積層してロール状に巻回してなるロール状の脱毛用粘着テープであって、ポリエステルフィルムに設けられる線状溝の幅又は微細窪の直径が０．０５ｍｍ〜２ｍｍであり、線状溝又は微細窪の深さがポリエステルフィルム厚の１／４〜３／４であることを特徴とするロール状の脱毛用粘着テープ。
【請求項２】
ポリエステルフィルムからなる基材の片面に脱毛用の粘着剤を積層するに際し、線状溝かもしくは微細窪を設けた基材面に離型剤を積層し、その背面に粘着剤の両側面に非粘着部を設けるように脱毛用の粘着剤を長手方向に沿って幅方向に間欠的に積層したことを特徴とする請求項１に記載のロール状の脱毛用粘着テープ。
【請求項３】
幅方向に略平行な多数の線状溝かもしくは微細窪を型付け加工で少なくとも一方の面の全幅にわたって長手方向に間欠的に設けた未延伸のポリエステルフィルムを多孔質材料の片面に積層して、これを基材とし、この基材の多孔質材料面に脱毛用の粘着剤を積層し、ポリエステルフィルム面に離型剤を積層してロール状に巻回してなるロール状の脱毛用粘着テープであって、ポリエステルフィルムに設けられる線状溝の幅又は微細窪の直径が０．０５ｍｍ〜２ｍｍであり、線状溝又は微細窪の深さがポリエステルフィルム厚の１／４〜３／４であることを特徴とするロール状の脱毛用粘着テープ。
【請求項４】
ポリエステルフィルムを多孔質材料の片面に積層するに際し、線状溝かもしくは微細窪面が外側にくるように積層し、基材の多孔質材料面に脱毛用の粘着剤を積層するに際し、粘着剤の両側面に非粘着部分が設けられるように、基材の多孔質材料面に脱毛用の粘着剤を長手方向に沿って幅方向に間欠的に積層したことを特徴とする請求項３に記載のロール状の脱毛用粘着テープ。
【請求項５】
ポリエステルフィルムが炭酸カルシウム，酸化カルシウム，水酸化カルシウム，水酸化アルミニウム，ホワイトカーボン，クレー，チタン白，タルク，炭酸マグネシウム，及び亜鉛華からなる群から選択された少なくとも１種の無機フィラーを含有していることを特徴とする請求項１〜４のいずれか１項に記載のロール状の脱毛用粘着テープ。
【発明の詳細な説明】
【０００１】
【発明の属する技術分野】
本発明はロール状に巻回された幅方向の手切れ性が良い脱毛用の粘着テープに関するものであり、さらに詳しくは、例えば腕や足の脱毛部位の形状や大きさに応じて所望の長さに手で簡単に略直線状に横裂きして使用できるロール状の脱毛用粘着テープに関する。
【０００２】
【従来の技術】
従来、この種のロール状脱毛用テープでは、例えば実用新案第２５１２９７４号公報、特開平６−２２５８１０号公報、特開平６−２２５８１１号公報、特開平８−３８２３９号公報、特開平９−１０３３２０号公報に開示されるものが知られている。
【０００３】
これらのロール状脱毛用テープは、幅方向に延伸されたプラスチックフィルムと多孔質材料（例えば紙）とを積層したテープ状基材を用いて横裂き（幅方向への手切れ性）を容易にしたもの（実用新案第２５１２９７４号公報、特開平６−２２５８１０号公報、特開平６−２２５８１１号公報、特開平８−３８２３９号公報）か、幅方向に延伸されたプラスチックフィルムをテープ状基材として用いて横裂き（幅方向への手切れ性）を容易にしたもの（特開平９−１０３３２０号公報）であり、さらには、前記積層テープ状基材にミシン目のような間欠的な貫通孔を所定間隔に開孔したもの（実用新案第２５１２９７４号公報）やテープ状基材の全幅に間欠的な貫通孔を所定間隔に設けたり、テープの両端に切り込みまたはノッチを設けて横裂き（幅方向への手切れ性）を容易にしたもの（特開平８−３８２３９号公報）である。
【０００４】
しかしながら、幅方向に延伸されたプラスチックフィルムを用いて幅方向への手切れ性を付与したロール状脱毛用テープは、それ自体を基材とした場合は勿論のこと、紙等と貼り合わせた場合においても、延伸の度合いによって幅方向の手切れ性が不充分になったり、延伸度合いのバラツキによって、手切れ性にバラツキが出たりする他、幅方向の一軸延伸であるため、長手方向に伸ばされやすく、テープ加工の際のシワやカールの原因になるなど、工程上の不具合を有する。
【０００５】
一方、テープ基材にミシン目等の貫通孔や、切り込みやノッチを入れる方法は、貫通孔を設ける場合には設けた貫通孔からテープ繰り出し時に不用意にテープが破断したり、巻圧により経時的に裏面より糊が背面にしみ出すという大きな問題を抱え、また切り込みやノッチを入れる方法では工程中での巻取り時のテンションによるミシン目や切り込みやノッチからの破断がしばしば起こる他、これらの処置を別工程で行った場合には当然工数の増加につながりコストＵＰの要因となるなどの問題がある。
【０００６】
【発明が解決しようとする課題】
本発明は、ロール状の脱毛用粘着テープにおいて、前述の従来技術の欠点、即ち一軸延伸フィルムを用いた場合に生じる幅方向への手切れ性が不充分であったり、バラついたりする欠点や貫通孔を設けた場合のテープの繰り出し時の破断や、巻圧により当該孔から糊が経時的に背面にしみ出す等の欠点を解決し、さらにまた、前述の従来技術の工程上に発生する問題、即ち一軸延伸フィルムの使用によるシワやカールの発生やミシン目等の貫通孔や切り込みやノッチを入れることによる巻取り時のテンションによる破断や工数増加等のコストアップにつながる問題を解決しようとするものである。
【０００７】
【課題を解決するための手段】
本発明は、幅方向に略平行な多数の線状溝かもしくは微細窪を少なくとも一方の面の全幅に渡って長手方向に間欠的に設けた合成樹脂フィルムを基材とするか又は前記合成樹脂フィルムを多孔質材料の片面に積層して基材とし、この基材の一方の面（多孔質材料との積層体にあっては多孔質材料面）に粘着剤層を積層し、他方の面（多孔質材料との積層体にあっては合成樹脂フィルム面）に離型剤層を積層してロール状に巻回するという手段をとることにより、上記課題を解決しようとするものである。
【０００８】
【発明の実施の形態】
以下本発明を図面に基づいて詳述するが、本発明はこれらに限定されるものではない。
図１は本発明のロール状脱毛用粘着テープの斜視図、図２（ａ）は本発明のロール状脱毛用粘着テープの断面図の１例、図２（ｂ）は本発明のロール状脱毛用粘着テープの断面図の他例、図３（ａ）は本発明のロール状脱毛用粘着テープの基材もしくは基材の一部に用いる線状溝を設けた合成樹脂フィルムの概略図、図３（ｂ）は本発明のロール状脱毛用粘着テープの基材もしくは基材の一部に用いる微細窪を設けた合成樹脂フィルムの概略図である。
尚、図中１は本発明のロール状脱毛用粘着テープ、２は基材、３は合成樹脂フィルム、４は合成樹脂フィルムに設けた線状溝、５は合成樹脂フィルムに設けた微細窪、６は基材の一部である多孔質材料、７は合成樹脂フィルムの表層に設けた離型剤層、８は脱毛用粘着剤、９は粘着剤の両側面に設けた非粘着部を示す。
【０００９】
本発明のロール状脱毛用粘着テープ１は、▲１▼図３（ａ）に示すような幅方向に略平行な多数の線状溝４か又は図３（ｂ）に示すような多数の微細窪５を少なくとも一方の面の全幅に渡って長手方向に間欠的に設けた合成樹脂フィルム３を、▲２▼そのまま図２（ａ）に示す如き基材２とするか又は図２（ｂ）に示す如き多孔質材料６の片面に積層して基材２とし、▲３▼この基材２の一方の面（多孔質材料６との積層体にあっては多孔質材料面）に脱毛用粘着剤８を積層し、他方の面（多孔質材料６との積層体にあっては合成樹脂フィルム面）に離型剤層７を積層してロール状に巻回して得たものである。
【００１０】
従来、ロール状脱毛粘着テープに手切れ性を付与するには、基材２となるプラスチックフィルム又は基材の一部となるプラスチックフィルムを幅方向に延伸したり、基材にミシン目等の貫通孔を設けたり、切り込みやノッチを入れたりする手段が採用されていたが、本発明は、基材２のカールの原因となりやすい延伸フィルムを基材としたり、基材の一部に用いることなく、また基材２の傷となり、糊はみ出しの原因や基材破壊の原因となるミシン目等の貫通孔や切り込みやノッチを基材２に入れることなく、手切れ性（横裂き性）を付与できる方法を見出したものである。
【００１１】
即ち、本発明は、図３（ａ）、図３（ｂ）に示すとおり、フィルム３を延伸したり、傷をつけたりする代わりに、基材２の全部又は一部を構成する合成樹脂フィルム３の少なくとも一方の面の全幅にわたって長手方向に間欠的に幅方向に略平行な多数の線状溝４（図３（ａ））または微細窪５（図３（ｂ））をフィルムへの型付け加工で設けることにより、基材２のカールや糊面から背面への糊のはみ出しやテープ繰り出し時の不用意な破断、破壊を防ぎ、しかも十分な手切れ性（横裂き性）を有するロール状脱毛用粘着テープを得ることに成功したものである。
【００１２】
本発明のロール状脱毛用粘着テープの基材２は好ましくは総厚が５０μｍ〜３００μｍ程度のテープ状、シート状またはフィルム状の基材２であり、例えば図２（ａ）に例示するようなテープ状またはフィルム状の合成樹脂フィルム３からなるか又は図２（ｂ）に示すような多孔質材料６に合成樹脂フィルム３を積層したテープ状又はシート状のものからなる。
【００１３】
尚、多孔質材料６に合成樹脂フィルム３を積層して基材２を構成する場合の多孔質材料６としては例えば厚さが５０μｍ〜１２０μｍ程度の各種プラスチックやパルプなどからなる不織布、織布、編布、紙など手切れ性のよい材料が用いられる。
【００１４】
一方、合成樹脂フィルム３としては、基材２として単独で用いる場合も多孔質材料６との積層品として用いる場合も、ポリエチレン、ポリプロピレン、ポリエチレンテレフタレート、硬質ポリ塩化ビニル、ナイロン、セロハン、ポリカーボネート、エチレンビニルアセテート等のフィルムが用いられるが、これらのフィルム３には幅方向の手切れ性（横裂き性）を付与するため、幅方向に略平行な多数の線状溝４かまたは多数の微細窪５が少なくとも一方の面の全幅にわたって長手方向に間欠的に設けられる。
【００１５】
さらにまた、前記の合成樹脂フィルム３中には、炭酸カルシウム、酸化カルシウム、水酸化カルシウム、水酸化アルミニウム、ホワイトカーボン、クレー、チタン白、タルク、炭酸マグネシウム、亜鉛華等からなる群から選択された少なくとも１種の無機フィラーが適宜添加され、これによって合成樹脂フィルム３の破断伸び（％）を抑えることができる。
【００１６】
この無機フィラー入りフィルムは、フィルムの伸びを殺すことにより、線状溝４や微細窪５の幅方向の手切れ効果を一層高めることができる利点を有する。
【００１７】
なお、基材２の全部又は一部を構成する合成樹脂フィルム３の少なくとも一方の面の全幅にわたって長手方向に間欠的に設けられる線状溝４または微細窪５は例えばその表面の全幅にわたって回転方向に間欠的に設けられた細い多数の線状突起またはイボ状突起を有する熱ロールで型押しして得ることができる。
【００１８】
そしてこの合成樹脂フィルム３に設ける線状溝４の幅又は微細窪５の直径は使用するフィルム３の材質や厚さにもよるが、手切れ性の効果があり、かつ機械的引っ張りによって集中的に伸ばされないようにするためには、線状溝４の幅又は微細窪５の直径は好ましくは０．０５ｍｍ〜２ｍｍ、より好ましくは０．０５ｍｍ〜０．５ｍｍの範囲が適当である。また線状溝４又は微細窪５の深さはフィルム３を貫通しない程度の深さ、好ましくは合成樹脂フィルム厚の１／４〜３／４、好ましくは１／４〜１／２の深さが適当である。
【００１９】
実験によれば、フィルム厚の３／４を越える深さ及び／又は２ｍｍを越える径（又は幅）の窪又は溝を厚さ５０μｍ程度の薄いフィルムに加工した場合、手切れ性は良好であるが、表面の凹凸により表面が若干ざらつくことや、貫通孔であるミシン目や切れ目を入れた場合に認められる破断はないが、フィルム３の流れ方向に過剰なテンションをかけて巻回するような場合にフィルム３が伸ばされることがあった。
【００２０】
また、フィルム厚の１／４未満の深さ及び／又は０．０５ｍｍ未満の径（又は幅）の窪又は溝を厚さ２００μｍ程度の厚いフィルムに加工した場合、引っ張りテンションによる破断は全く認められなかったが、本来の目的である手切れ性が低下するという問題があった。
【００２１】
一方、幅方向と略平行な多数の線状溝４又は微細窪５は必ずしも合成樹脂フィルム３の片面のみに限定される必要はなく、例えば、片面に線状溝４、他面に微細窪５を設けてもよく、両面に線状溝４又は微細窪５を設けても良いのであって、要は加工上もしくは繰り出し時の引っ張りテンションで破断することなく、かつ恣意的な力で横裂きしたとき容易に切れる合成樹脂フィルム２を得られればよい。
【００２２】
なお、合成樹脂フィルム３の片面又は両面に設けられる線状溝４又は微細窪５は、肉眼ではその存在が認めがたい程度の大きさ、即ち幅又は直径が０．０５〜０．５ｍｍで、深さがフィルム総厚の１／４〜１／２程度でも十分な手切れ効果を有することが実験により認められた。
【００２３】
この知見はロール状の脱毛用粘着テープ１を得るに際して、合成樹脂フィルム３を手で引き裂けるようにするにはフィルム３に恣意的な力を部分的に加えた場合にのみ応力集中を受ける箇所を連続的又は断続的に設ければよく、必ずしも従来考えられていたようにフィルム３の断面を貫通する孔や、フィルム断面全深にかき傷を設ける必要がないことを物語るものであった。即ち、発明者らは窪の径や溝の幅も必ずしも目視できる大きさの径や幅である必要はなく、逆に極めて微少な径や幅は全体的な張力に対して、強度を保持することができ、しかも恣意的な力を部分的かつ選択的に加えた場合にのみ応力集中を受けて、その箇所より破断しやすく、容易な横裂きという目的を十分に達しうることを見出し、本発明に至ったのである。
【００２４】
さらに、これらの線状溝４や微細窪５を合成樹脂フィルム３の片面のみに設ける場合において、横裂きを一層効果的にするには、図２（ａ）に示すようにフィルム自体を基材２とする場合、線状溝４もしくは微細窪５を設けた面に離型剤７を積層し、他方の面に、粘着剤８の両側面に非粘着部９が設けられるように脱毛用の粘着剤８をフィルム３の長手方向に沿って幅方向に間欠的に積層すると良い。
【００２５】
これはフィルム３に恣意的な力を加えた場合に、構造的にフィルム３の線状溝４や微細窪５に応力が集中できるようにするためであって、両側面を非粘着部９とするのも同様の理由によるものである。
【００２６】
また、図２（ｂ）に示されるような合成樹脂フィルム３を多孔質材料６例えば紙の片面に積層して、これを基材２とするような場合には、該フィルム３の線状溝４もしくは微細窪５を設けた面が外面にくるように多孔質材料６に積層し、この面に離型剤７を積層する。一方多孔質材料６の他方の面の粘着剤８の両側面に非粘着部９が設けられるように脱毛用の粘着剤８をフィルムの長手方向に沿って幅方向に間欠的に積層するとよい。
【００２７】
この理由は、ロール状の脱毛用粘着テープ１は図１に示すように、通常粘着剤８を内側にして巻回されるため、このロール状脱毛用粘着テープ１を所望の長さ分だけ幅方向に切り取って使用しようとする時の把手部分となるのは非粘着部９となり、ここを持って切り取ろうとする場合、まず最初に応力を受ける箇所は基材２外面となるので、ここに応力を集中させるためには溝や窪が基材２の外面にある方がより目的を達成しやすいからである。また、両側に非粘着部９を設けるのも、前述と同様把持部になるとの理由の他、最初の破断に粘ついた粘着剤８の力を排除するためである。
【００２８】
本発明に用いる脱毛用粘着剤８は、脱毛効果のある粘着剤であれば任意の成分のもので良く、例えば、実施例の表１の配合例に示すような成分の粘着剤８を使用することができる。この粘着剤８は透明であり、例えば１００〜２５０μｍの厚みで基材２の片面に塗布される。また、本発明に用いる離型剤７は、粘着テープ同士の離型効果を有するものであれば任意のもので良く、例えばシリコーン系の離型剤７を使用することができる。
【００２９】
尚、粘着剤８は粘着剤の両側面に非粘着部９が形成されるように基材２の長手方向に沿って幅方向に間欠的に積層されることが望ましい。このように粘着剤８の両側面に非粘着部９を設けた場合、この非粘着部９はロール状態では密着しないため、ロール状の脱毛用粘着テープ１の非粘着部９を指で摘んでロール体のどちら側からでも容易に引き出すことができる。
【００３０】
また、本発明の脱毛用粘着テープ１を用いて例えば腕の下腕部付近に生える毛を脱毛するには、ロール状態の脱毛用粘着テープ１の非粘着部９を指で摘んで所定長さ引き出し、幅方向に切断し、上腕部周辺に貼着した後、毛の向きとは反対方向に剥がせば、粘着剤８の粘着力と基材２の腰による垂直方向の引張り力とが相俟って簡単に除毛することができる。
【００３１】
【実施例】
次に、本発明のロール状脱毛用粘着テープの粘着性能及び使用満足度を調べるために表１の配合例の粘着剤を用いて表２のような構成のロール状脱毛テープを作成し、表２のような条件で測定を行ったところ、表３の結果を得た。
【００３２】
【表１】
0004387484.tif 000002
【００３３】
【表２】
0004387484.tif 000003
【００３４】
【表３】
0004387484.tif 000004
【００３５】
また、本発明のロール状脱毛用粘着テープの手切れ性を調べるために表１の配合例の粘着剤を用いて表４のような構成のロール状脱毛用粘着テープを作成し、手切れ性について試験を行ったところ、表４の結果を得た。
【００３６】
【表４】
0004387484.tif 000005
【００３７】
表の結果に示されるように、本発明のロール状脱毛用粘着テープはその粘着性能、使用テスト及び手切れ性において十分満足できるものであった。
【００３８】
【発明の効果】
以上詳述したように、本発明のロール状の脱毛用粘着テープは、上述のような構成を有するので、以下のような効果を奏する。
▲１▼  幅方向への手切れ性が不充分であったり、ばらついたりすることがなく、極めて容易にカットできる。
▲２▼  基材フィルムに貫通孔を設けたり、切り込みやノッチを入れたりすることがないので、テープ繰り出し時等の不用意な切断がなく、かつ巻圧によって裏面の糊が背面にしみ出すといったこともなく、経時的に安定なロール状脱毛テープとすることができる。
▲３▼  合成樹脂フィルムの伸度を小さくすることができるので、手切れ効果を更に高めることができる。
▲４▼  合成樹脂フィルムに線状溝や微細窪をオンラインで設けることができるので、この作業のために工数が増加することなく、安価な脱毛テープを得ることができる。
【図面の簡単な説明】
【図１】本発明のロール状脱毛用粘着テープの斜視図である。
【図２】（ａ）は本発明のロール状脱毛用粘着テープの断面図の一例であり、（ｂ）は本発明のロール状脱毛用粘着テープの断面図の他例である。
【図３】（ａ）は本発明のロール状脱毛用粘着テープの基材もしくは基材の一部に用いる線状溝を設けた合成樹脂フィルムであり、（ｂ）は本発明のロール状脱毛用粘着テープの基材もしくは基材の一部に用いる微細窪を設けた合成樹脂フィルムである。
【符号の説明】
１      本発明のロール状の脱毛用粘着テープ
２      基材
３      合成樹脂フィルム
４      合成樹脂フィルムに設けた線状溝
５      合成樹脂フィルムに設けた微細窪
６      多孔質材料
７      離型剤層
８      脱毛用粘着剤
９      非粘着部
【図１】
0004387484.tif 000006
【図２】
0004387484.tif 000007
【図３】
0004387484.tif 000008